(57)【要約】【課題】本発明は、工具ホルダーなどの用具類ホルダーをベルトに着脱可能に装着するための装着構造に関するものである。【解決手段】  ベルト挿通穴は穴延出方向の上端または下端の一方が揃って開放されており、ベースプレートに前記ベルト挿通穴の外方側縁に沿って配置される外側突片部と、前記ベルト挿通穴の内方側縁に沿って配置される内側突片部とを有し、  前記外側突片部又は内側突片部のいずれか一方でベルト挿通穴の開放端寄りに枢着され、いずれか他方で前記開放端より穴奥側に形成された受部に係脱可能に係合する掛止部を先端に有すると共に、前記閉位置で受部への係止方向に付勢された開閉部材が設けられていることを特徴とする。【選択図】図１
2015093372.tif 000002
【特許請求の範囲】
【請求項１】
ベルトに着脱可能に装着するための一対のベルト挿通穴を有するベースプレートに工具等の用具を保持する保持部を設けた用具類ホルダーのベルト装着構造において、
ベルト挿通穴は穴延出方向の上端または下端の一方が揃って開放されており、ベースプレートに前記ベルト挿通穴の外方側縁に沿って配置される外側突片部と、前記ベルト挿通穴の内方側縁に沿って配置される内側突片部とを有し、
前記外側突片部又は内側突片部のいずれか一方でベルト挿通穴の開放端寄りに枢着され、いずれか他方で前記開放端より穴奥側に形成された受部に係脱可能に係合する掛止部を先端に有すると共に、前記閉位置で受部への係止方向に付勢された開閉部材が設けられていることを特徴とする用具類ホルダーのベルト装着構造。
【請求項２】
受部が、外側突片部又は内側突片部に形成された切欠溝からなっており、下から上に枢動する掛止部を閉位置で係止する爪部を有していることを特徴とする請求項１に記載の用具類ホルダーのベルト装着構造。
【請求項３】
開閉部材が線条材の中央を折り返して先端を爪部に外嵌する枠状の掛止部とし、基端となる両端を外側突片または内側突片で上下に位置をずらして別々に枢着して、開閉部材を係止方向に付勢してなることを特徴とする請求項２に記載の用具類ホルダーのベルト装着構造。
【請求項４】
掛止部が、平面視Ｕ状の枠部空間を、受部の厚み以上に幅広く形成して、受部または掛止部が受部の厚み方向に変位した際にも掛止部が受部から離脱しないようになっていることを特徴とする請求項１から３のいずれかに記載の用具類ホルダーのベルト装着構造。
【発明の詳細な説明】
【技術分野】
【０００１】
本発明は、工具ホルダーなどの用具類ホルダーをベルトに着脱可能に装着するための装着構造に関するものである。
【背景技術】
【０００２】
従来、例えば、特開平７−２９９７７２号の工具ホルダーでは、平板状の装着体の両端部に安全ベルトを挿通するための長穴からなるベルト挿通孔を有するベルト挿通部を備えた装着体が設けられており、該装着体には、工具保持体が突設された構造が開示されている。
しかし、上記構成では、一対のベルト挿通孔の一方から他方にベルトの先端を順次通して工具ホルダーをベルトに装着するため、工具ホルダーをベルトから外すためには、一対のベルト挿通孔からベルトを引き抜く必要がある。
特に、複数のホルダーをベルトに装着している場合には、各ホルダーを所定の順番でベルトに通す必要があり、また、不要となったホルダーのみを取り外すには、その引き抜き方向の手前に装着しているホルダーも一緒に取り外す必要があり、煩雑で手間のかかる作業となっていた。
そこで、例えば、図９に示すように、装着体２０に設けた一対のベルト挿通孔２１、２２に、該孔の延出方向と直交する外方に開口する開口部２３、２４をベルト挿通孔の一方は上部に配置し、他方は下部に配置して同一線上に並ばないように設ける構成が考えられる。
上記構成によれば、ベルトＢは任意の中途位置でベルト挿通孔２１、２２に装着することができるので、簡便である。
しかし、図１０に示すようにベルトＢは中途位置で縦方向に湾曲させて、それぞれの開口部２３、２４を介してベルト挿通孔２１、２２に通す必要があるので、着脱に際してベルトＢを曲げる必要があり、多数のホルダーがベルトＢに装着されている場合には容易に着脱することは困難であった。
【先行技術文献】
【特許文献】
【０００３】
【特許文献１】特開平７−２９９７７２号公報
【発明の概要】
【発明が解決しようとする課題】
【０００４】
この発明は上記事情に鑑みて創案されたものであって、その主たる課題は、ベルト挿通孔を孔延出方向の上端または下端で開放させ、該開口を開閉する開閉部材を設けることで、ベルトを任意の位置でベルト挿通孔に通すことができる用具類ホルダーのベルト装着構造を提供することにある。
【課題を解決するための手段】
【０００５】
本発明は、上記課題を達成するために、請求項１の発明では、
ベルトに着脱可能に装着するための一対のベルト挿通穴を有するベースプレートに工具等の用具を保持する保持部を設けた用具類ホルダーのベルト装着構造において、
ベルト挿通穴は穴延出方向の上端または下端の一方が揃って開放されており、ベースプレートに前記ベルト挿通穴の外方側縁に沿って配置される外側突片部と、前記ベルト挿通穴の内方側縁に沿って配置される内側突片部とを有し、
前記外側突片部又は内側突片部のいずれか一方でベルト挿通穴の開放端寄りに枢着され、いずれか他方で前記開放端より穴奥側に形成された受部に係脱可能に係合する掛止部を先端に有すると共に、前記閉位置で受部への係止方向に付勢された開閉部材が設けられていることを特徴とする。
請求項２の発明では、
前記受部が、外側突片部又は内側突片部に形成された切欠溝からなっており、下から上に枢動する掛止部を閉位置で係止する爪部を有していることを特徴とする。
請求項３の発明では、
前記開閉部材が線条材の中央を折り返して先端を爪部に外嵌する枠状の掛止部とし、基端となる両端を外側突片または内側突片で上下に位置をずらして別々に枢着して、開閉部材を係止方向に付勢してなることを特徴とする。
請求項４の発明では、
前記掛止部が、平面視Ｕ状の枠部空間を、受部の厚み以上に幅広く形成して、受部または掛止部が受部の厚み方向に変位した際にも掛止部が受部から離脱しないようになっていることを特徴とする。
【発明の効果】
【０００６】
本発明の用具類ホルダーのベルト装着構造では、ベルト挿通穴の上端または下端が一方に揃って開放されており、その開口を閉位置方向に付勢された開閉部材で開閉しているので、ベルトの任意の位置でベルト挿通穴に開放端側から開閉部材を押し下げてベルトを装着することができ、装着後は、付勢力により開閉部材はもとの閉位置に復帰してベルトの抜け落ちを防止することができる。
【図面の簡単な説明】
【０００７】
【図１】開閉部材が閉位置の工具ホルダーと装着前のベルトとを示す正面図である。
【図２】開閉部材が開位置の工具ホルダーと装着済みのベルトとを示す正面図である。
【図３】（ａ）開閉部材の取付位置を異にしたベースプレートの正面図、（ｂ）開閉部材の取付位置を更に異にしたベースプレートの正面図である。
【図４】工具ホルダーの正面図である。
【図５】受部に爪部を設けた構成の部分拡大図である。
【図６】異なる掛止部と受部との閉位置での掛止状態を示す部分拡大図である。
【図７】更に異なる掛止部と受部との閉位置での掛止状態を示す部分拡大図である。
【図８】ベルトに多数の工具ホルダーを装着した状態の説明図である。
【図９】比較例のベルト挿通穴を示す正面図である。
【図１０】比較例の工具ホルダーをベルトに装着する状態を示す説明図である。
【発明を実施するための形態】
【０００８】
以下に、この発明の用具類ホルダーのベルト装着構造を工具ホルダーに適用した場合の好適実施例について、図面を参照しながら説明する。
【実施例１】
【０００９】
工具ホルダー１は、作業者のベルトＢに着脱可能に装着するための一対のベルト挿通穴３，４を有するベースプレート２に工具等の用具を保持する保持部１３を設けた基本構造からなっている。
ここで保持部１３は公知構造を用いることができるので、図１、図２および図３では保持部１３を省略した工具ホルダー１を図示している。
【００１０】
ベースプレート２は、強度を有する金属または樹脂製のプレートで、ベルトＢの面に沿って装着される。
ベースプレート２は、平坦面のものでも、ベルト挿通穴３、４の部分を斜めに折り曲げたもの、あるいはベルト挿通穴３、４が別体の部材からなって基板に溶着されたものなど公知の形状のものを用いることができる。
【００１１】
ベルト挿通穴３、４は、穴延出方向の上端または下端の一方が揃って開放されている。
本実施例では下端が開口しているが、この発明では上下を逆にしてもよい。
これにより、ベースプレート２は、ベルト挿通穴３、４の外方側縁に沿って配置される外側突片部５、６と、前記ベルト挿通穴３、４の内方側縁に沿って配置される内側突片部７とが下端が分離された状態となっており、上端側は一連につながっている。
【００１２】
前記ベルト挿通穴３、４には、開口側を開閉する開閉部材１１，１２が設けられている。
開閉部材１１、１２は、基端が前記外側突片部５、６又は内側突片部７のいずれか一方に枢着され、先端がいずれか他方に形成された受部８に係脱可能に係合する掛止部１１ａ、１２ａとなっている。
【００１３】
本実施例では図１に示すように、外側突片部５、６でベルト挿通穴の開放端寄りに  開閉部材１１、１２の基端が枢着Ｐされており、内側突片部７でベルト挿通穴３、４の穴奥側に受部８、８が形成されている。
従って、 開閉部材１１、１２は、前記基端の枢着点Ｐを支点にして、穴奥側に枢動してベルト挿通穴３，４の縁部に沿ってベルト挿通穴３，４を開く開位置と、該開位置から開放端側に枢動して前記受部８に先端の掛止部１１ａ、１２ａを係止して、傾斜姿勢となってベルト挿通穴３、４を閉じる閉位置とに変位する。
【００１４】
上記開閉部材１１、１２は、閉位置方向に付勢されており、付勢手段は、例えば、開閉部材１１、１２の枢着個所Ｐにバネを取り付けたり、開閉部材と外側突片部との間にバネを掛け渡してもよいし、後述のように基端の掛止位置をずらして付勢させるなど公知の手段を用いることができる。
【００１５】
従って、図１に示す待機状態では、開閉部材１１，１２は付勢力によって閉位置に保持されている。
そこで、工具ホルダー１のベルト挿通穴３，４を開口端側からベルトＢの任意位置に差し込むと、開閉部材１１，１２がベルトＢによって付勢力に抗して開位置に枢動し、ベルトＢがベルト挿通穴３，４の中に押し込まれる。
上記ベルトＢが通過すると、開閉部材１１，１２が付勢力で閉位置に復帰する。
これにより、ベルトＢに対して工具ホルダ−１が相対的に上下しても、開閉部材１１，１２は受部８に係止されているので、閉位置を保持することができる。
【００１６】
また、本実施例では、開閉部材１１、１２が開位置のときに、開閉部材１１、１２がベルト挿通穴３，４を狭めないように、開閉部材１１、１２が枢着Ｐされた外側突片部５、６に切欠溝９を設けており、ベルトＢ挿通時に、開閉部材１１、１２が穴内に残って邪魔になることがないようにしている。
【実施例２】
【００１７】
図３に示す工具ホルダー１は、開閉部材１１、１２の配置を異にした実施例である。
図３（ａ）では、開閉部材１１は、内側突片部７に基端が枢着Ｐされ、外側突片部５の受部８に先端の掛止部１１ａが掛止められるようになっている。
一方、開閉部材１２は、実施例１と同様に外側突片部６に基端が枢着Ｐされ、内側突片部７の受部８に先端の掛止部１２ａが掛止められるようになっている。
【００１８】
図３（ｂ）では、開閉部材１２は、図３（ａ）と同様に、内側突片部７に基端が枢着Ｐされ、外側突片部５の受部８に先端の掛止部１１ａが掛止められるようになっている。
一方、開閉部材１２は、内側突片部７に基端が枢着Ｐされ、外側突片部６の受部８に先端の掛止部１２ａが掛止められるようになっている。
このように、開閉部材１１、１２は、ベルト挿通穴３，４の延出方向に対して斜めに横切るように配置されるものであればよい。
その他の構成は前記実施例に準じるので、同一構成には同一符号を付して説明を省略する。なお、図３でも保持部の図示を省略している。
【実施例３】
【００１９】
図４は、工具ホルダー１の開閉部材１１、１２の付勢手段の一例を示す。
本実施例では、付勢手段以外の構成は実施例１と同様であるので、説明を省略する。
また、図示例では、保持部１３の一例としてカラビナを内側突片部材７に固着した例を示す。
【００２０】
本実施例では、開閉部材１１、１２が、線条材の中央を折り返して先端を受部８に外嵌する枠状の掛止部１１ａ、１２ａとし、基端となる両端を外側突片５、６に上下に位置をずらして別々に枢着Ｐしている。
これにより、バネを用いることなく、開閉部材１１、１２を係止方向（閉方向）に付勢することができる。
【実施例４】
【００２１】
図５に示す受部８は、閉位置での開閉部材１１、１２の掛止を確実に行うために、受部３に前記掛止部１１ａ、１２ａに掛止められる爪部８ａを設けている。
本実施例で開閉部材１１、１２は線条材の中央を折り返して先端を受部に外嵌する枠状の掛止部１１ａ、１２ａからなっているので、閉位置において掛止部１１ａ、１２ａの枠で爪部８ａを係止している。
これにより、開閉部材１１、１２と受部８とが相対的に異なる方向に変位しても、掛止力の作用で閉位置での姿勢を保持することができる。
【実施例５】
【００２２】
図６は、開閉部材１１、１２の異なる実施例をい示す。
開閉部材１１、１２はピンを折り曲げた形状からなっており、枢着側には抜け止め用のストッパ１５と閉方向への付勢手段としてのバネ１６が設けられており、先端の掛止部１１ａ、１２ａは、Ｌ字状に折り曲げた形状となっている。
また、掛止部１１ａ、１２ａの先端には厚み方向への変位に対して掛止を維持するための規制板１７が設けられている。
その他の構成は、前記実施例と同様である。
【実施例６】
【００２３】
図７は、実施例３を改良し、更に強力な閉位置での掛止を行えるようにした異なる実施例を示す。
ここで、掛止部１１ａ、１１ｂは、平面視Ｕ状の枠部空間を、受部８の厚み以上に幅広く形成して、受部８または掛止部１１ａ、１１ｂが受部８の厚み方向に離間するように変位した際にも、掛止部１１ａ、１１ｂが受部８から離脱しないようになっている。
その他の構成は前記実施例と同様であるのでその説明を省略する。
【００２４】
上記各実施例で示した工具ホルダー１は、ベースプレート２に保持部を取り付ける。
図示例では、内側突片部７に取り付けたが、ベースプレート２に一体に設けた別の部材に連結するものでもよい。
また、保持部は、工具や用具を着脱可能に保持するものであればよく、取り付ける工具や用具の種類は問わない。
上記実施例では、工具を保持する工具ホルダーについて説明したが、この発明では、その他の各種用具を保持するベルト装着用の用具ホルダーに用いることもできる。
その他、要するにこの発明の要旨を変更しない範囲で種々設計変更しうること勿論である。
【符号の説明】
【００２５】
１    工具ホルダー
２    ベースプレート
３，４  ベルト挿通穴
５、６  外側突片部
７    内側突片部
８    受部
８ａ  爪部
１１、１２  開閉部材
１１ａ、１２ａ  掛止部
１３    保持部
１５    ストッパ
１６    バネ
１７    規制板
２０    装着体
２１、２２  ベルト挿通孔
２３、２４  開口部
Ｂ    ベルト
【図１】
2015093372.tif 000003
【図２】
2015093372.tif 000004
【図３】
2015093372.tif 000005
【図４】
2015093372.tif 000006
【図５】
2015093372.tif 000007
【図６】
2015093372.tif 000008
【図７】
2015093372.tif 000009
【図８】
2015093372.tif 000010
【図９】
2015093372.tif 000011
【図１０】
2015093372.tif 000012